(57)【要約】【課題】ユーザの位置が変わっても容易に音像調整が行えるオーディオ機器を提供する。【解決手段】リモコンにおいて音像設定開始キーが押されると、距離画像CMOSセンサ１４が画素毎の電圧信号を出力し、制御部１６は電圧信号に基づきリモコンからの赤外光を受光した画素を特定し、該画素に対応した水平位置データをRAM１８に記憶し、発光LED１２が発光し、距離画像CMOSセンサ１４は被写体からの反射光に基づき奥行き位置データを出力し、制御部１６は前記特定された画素に対応した奥行き位置データをRAM１８に記憶し、制御部１６はROM１７に記憶されたテーブルとRAM１８に記憶された水平位置データおよび奥行き位置データとから音像設定データをテーブルから読み出し、音声信号処理部２０は音像設定データに基づき音声信号の音量レベル制御および位相制御を行う。【選択図】図１
2008066773.tif 000002
【特許請求の範囲】
【請求項１】
リモコンが出力した光を受光するリモコン受光手段と、
前記リモコンにおいて所定の操作がされ前記リモコンが出力した光を前記リモコン受光手段が受光した後、前記リモコンからの光の受光に基づき前記リモコンの水平位置を検出する水平位置検出手段と、
前記リモコンにおいて所定の操作がされ前記リモコンが出力した光を前記リモコン受光手段が受光した後、被写体に向かって発光する発光手段と、
前記被写体からの反射光に基づき前記リモコンの奥行き位置を検出する奥行き位置検出手段と、
前記水平位置検出手段および前記奥行き位置検出手段の検出結果とテーブルとに基づき音声信号の音量レベル設定データと音声信号の位相設定データの少なくとも一つを前記テーブルから読み出し、音声信号の音量レベル制御と音声信号の位相制御の少なくとも一つを行う制御手段と、
を備えたことを特徴とするオーディオ機器。
【請求項２】
リモコンが出力した光を受光するリモコン受光手段と、
前記リモコンにおいて所定の操作がされ前記リモコンが出力した光を前記リモコン受光手段が受光した後、前記リモコンからの光の受光に基づき前記リモコンの水平位置を検出する水平位置検出手段と、
前記リモコンにおいて所定の操作がされ前記リモコンが出力した光を前記リモコン受光手段が受光した後、被写体に向かって発光する発光手段と、
前記被写体からの反射光に基づき前記リモコンの奥行き位置を検出する奥行き位置検出手段と、
前記水平位置検出手段および前記奥行き位置検出手段の検出結果と所定の計算式とに基づき音声信号の設定音量レベルと音声信号の設定位相の少なくとも一つを算出し、音声信号の音量レベル制御と音声信号の位相制御の少なくとも一つを行う制御手段と、
を備えたことを特徴とするオーディオ機器。
【請求項３】
リモコンが出力した光を受光するリモコン受光手段と、
前記リモコンにおいて所定の操作がされ前記リモコンが出力した光を前記リモコン受光手段が受光した後、前記リモコンからの光の受光に基づき前記リモコンの水平位置を検出する水平位置検出手段と、
前記リモコンにおいて所定の操作がされ前記リモコンが出力した光を前記リモコン受光手段が受光した後、被写体に向かって発光する発光手段と、
前記被写体からの反射光に基づき前記リモコンの奥行き位置を検出する奥行き位置検出手段と、
前記水平位置検出手段および前記奥行き位置検出手段の検出結果に基づき音声信号の音量レベル制御と音声信号の位相制御の少なくとも一つを行う制御手段と、
を備えたことを特徴とするオーディオ機器。
【請求項４】
リモコンが出力した光を受光するリモコン受光手段と、
前記リモコンにおいて所定の操作がされ前記リモコンが出力した光を前記リモコン受光手段が受光した後、被写体に向かって発光する発光手段と、
前記被写体からの反射光に基づきユーザの水平位置および奥行き位置を検出する検出手段と、
前記検出手段の検出結果に基づき音声信号の音量レベル制御と音声信号の位相制御の少なくとも一つを行う制御手段と、
を備えたことを特徴とするオーディオ機器。
【発明の詳細な説明】
【技術分野】
【０００１】
本発明は、オーディオ機器に関するものである。
【背景技術】
【０００２】
オーディオ機器は通常リモコンによる操作が可能となっている。リモコンはオーディオ機器に対して任意の方向から操作信号を送信することができるため、ユーザが常にオーディオ機器の正面に位置しているとは限らない。
【０００３】
オーディオ機器が有する左右のスピーカから出力される音声の音量が等しい場合、ユーザがオーディオ機器の正面に位置すれば左右の音量バランスは適正なものとなるが、もしユーザがオーディオ機器の正面からずれた位置に位置する場合、左右の音量バランスが崩れ、ユーザは聴感上違和感を感じてしまう。
【０００４】
また、オーディオ機器が有する左右のスピーカから出力される音声の位相差がない場合、ユーザがオーディオ機器の正面に位置すればユーザにとって左右から聴こえる音声は同位相となるが、もしユーザがオーディオ機器の正面からずれた位置に位置する場合、ユーザにとって左右から聴こえる音声に位相差が生じ、ユーザは聴感上違和感を感じてしまう。
【０００５】
そこで、従来のオーディオ機器では、リモコン操作により左右のスピーカから出力される音声の音量や位相を手動で調整可能となっており、ユーザはオーディオ機器に対して任意の位置に位置しても、その位置に応じたリモコン操作により聴感上違和感のない音声鑑賞が可能となる。
【特許文献１】特開昭６３−１５１３００号公報
【発明の開示】
【発明が解決しようとする課題】
【０００６】
しかし、上記従来のオーディオ機器では、ユーザの位置が変わるたびにリモコン操作により手動で音像の調整が必要であり面倒であるという問題があった。
【０００７】
上記問題点を鑑み、本発明は、ユーザの位置が変わっても容易に音像調整が行えるオーディオ機器を提供することを目的とする。
【課題を解決するための手段】
【０００８】
上記目的を達成するために本発明は、リモコンが出力した光を受光するリモコン受光手段と、
前記リモコンにおいて所定の操作がされ前記リモコンが出力した光を前記リモコン受光手段が受光した後、前記リモコンからの光の受光に基づき前記リモコンの水平位置を検出する水平位置検出手段と、
前記リモコンにおいて所定の操作がされ前記リモコンが出力した光を前記リモコン受光手段が受光した後、被写体に向かって発光する発光手段と、
前記被写体からの反射光に基づき前記リモコンの奥行き位置を検出する奥行き位置検出手段と、
前記水平位置検出手段および前記奥行き位置検出手段の検出結果に基づき音声信号の音量レベル制御と音声信号の位相制御の少なくとも一つを行う制御手段と、
を備えたことを特徴とする。
【０００９】
このような構成によれば、ユーザの位置が変わってもリモコンにおいて所定の操作をするだけで容易に音像調整が行える。
【００１０】
また、前記制御手段は、前記水平位置検出手段および前記奥行き位置検出手段の検出結果とテーブルとに基づき音声信号の音量レベル設定データと音声信号の位相設定データの少なくとも一つを前記テーブルから読み出し、音声信号の音量レベル制御と音声信号の位相制御の少なくとも一つを行うようにしてもよい。
【００１１】
また、前記制御手段は、前記水平位置検出手段および前記奥行き位置検出手段の検出結果と所定の計算式とに基づき音声信号の設定音量レベルと音声信号の設定位相の少なくとも一つを算出し、音声信号の音量レベル制御と音声信号の位相制御の少なくとも一つを行うようにしてもよい。
【００１２】
さらに、本発明のオーディオ機器は、リモコンが出力した光を受光するリモコン受光手段と、
前記リモコンにおいて所定の操作がされ前記リモコンが出力した光を前記リモコン受光手段が受光した後、被写体に向かって発光する発光手段と、
前記被写体からの反射光に基づきユーザの水平位置および奥行き位置を検出する検出手段と、
前記検出手段の検出結果に基づき音声信号の音量レベル制御と音声信号の位相制御の少なくとも一つを行う制御手段と、
を備えた構成にしてもよい。
【００１３】
このような構成によっても、ユーザの位置が変わってもリモコンにおいて所定の操作をするだけで容易に音像調整が行える。
【発明の効果】
【００１４】
本発明のオーディオ機器によれば、ユーザの位置が変わっても容易に音像調整が行える。
【発明を実施するための最良の形態】
【００１５】
本発明の実施形態について以下図面を参照し説明する。図１は、本発明に係るテレビの構成を示すブロック図である。
【００１６】
アンテナ１は、放送電波信号を電気信号である放送信号に変換する。チューナ２は、アンテナ１から受信する放送信号から所定のチャンネルの信号を取り出し、中間周波信号に変換する。映像中間周波増幅部３は、チューナ２から受信する中間周波信号を増幅する。映像検波部４は、映像中間周波増幅部３で増幅された中間周波信号から映像中間周波信号を取り出し検波し、コンポジット信号を取り出す。
【００１７】
映像増幅部５は、映像検波部４から受信するコンポジット信号を増幅する。同期偏向部６は、映像増幅部５から受信する増幅されたコンポジット信号から同期信号を取り出し、これに基づき水平偏向信号および垂直偏向信号を生成して偏向コイル１０に送出する。輝度信号生成部７は、映像増幅部５から受信する増幅されたコンポジット信号から輝度信号を取り出し、遅延および増幅させて原色出力部９に送出する。色差信号生成部８は、映像増幅部５から受信する増幅されたコンポジット信号から色信号を取り出し、これに基づきＲＧＢに対応する色差信号を生成し原色出力部９に送出する。原色出力部９は、輝度信号および色差信号に基づきＲＧＢの三原色信号を生成する。
【００１８】
受像管１１は、内部に電子銃やシャドウマスクを有し、前面に蛍光体が塗られている。また、受像管１１の周りに偏向コイル１０が設けられる。そして、原色出力部９からの三原色信号に基づき電子銃が電子ビームを射出し、この電子ビームを同期偏向部６からの水平偏向信号および垂直偏向信号に基づき偏向コイル１０が偏向する。そして、偏向された電子ビームが蛍光体に衝突することにより、受像管１１の前面に画像が表示される。
【００１９】
距離画像ＣＭＯＳセンサ１４は、画像および被写体までの距離を計測できる公知のイメージセンサである。距離画像ＣＭＯＳセンサ１４は複数の画素を有し、各画素において受光された光が電圧信号に変換され制御部１６に出力される。また、距離画像ＣＭＯＳセンサ１４は、発光ＬＥＤ１２から発光され被写体で反射し結像レンズ１３を介して画素に到達するまでの赤外光の飛行時間を画素毎に計測し、距離画像ＣＭＯＳセンサ１４から被写体までの距離を表す距離データを画素毎に制御部１６に出力することも行う。
【００２０】
リモコン受光部１５は、不図示のリモコンからの赤外光を受光および復調し、復調されたコード信号を制御部１６に出力する。ＲＯＭ１７は、制御部１６の制御プログラムや後述するテーブルが記憶される。ＲＡＭ１８は、制御部１６のワークメモリである。
【００２１】
また、音声信号生成部１９は、映像中間周波増幅部３で増幅された中間周波信号から音声中間周波信号を取り出し検波し、右チャンネル音声信号および左チャンネル音声信号を取り出し音声信号処理部２０に出力する。音声信号処理部２０は、制御部１６からの制御信号に基づき右チャンネル音声信号および左チャンネル音声信号の音量レベル制御および位相制御を行い、各音声信号をアンプ２１に出力する。アンプ２１は、右チャンネル音声信号および左チャンネル音声信号を増幅し、右チャンネル音声信号を右チャンネル用スピーカ２２Ｒ、左チャンネル音声信号を左チャンネル用スピーカ２２Ｌに出力する。
【００２２】
右チャンネル用スピーカ２２Ｒは、右チャンネル音声信号に基づく音声を発し、左チャンネル用スピーカ２２Ｌは、左チャンネル音声信号に基づく音声を発する。
【００２３】
ここで図２に、本発明に係るテレビの概略上面図を示す。テレビの前面両端に右チャンネル用スピーカ２２Ｒ、左チャンネル用スピーカ２２Ｌが設けられる。また、テレビの上方には、上面視で右チャンネル用スピーカ２２Ｒと左チャンネル用スピーカ２２Ｌとの間の略中央位置に結像レンズ１３、距離画像ＣＭＯＳセンサ１４、発光ＬＥＤ１２が設けられる。
【００２４】
以下、本発明に係るテレビの特徴的な動作である音像設定動作について図３のフローチャートに沿って説明する。
【００２５】
まず、本発明に係るテレビより前方の任意の位置にリモコンＲＭ（図２）が位置した状態で、リモコンＲＭが有する音像設定開始キーが押されると、リモコンＲＭは該キー操作に対応したコード信号に基づく赤外光を発光する。そして、ステップＳ１で、テレビが有するリモコン受光部１５が該赤外光を受光および復調し、復調されたコード信号を制御部１６に出力する。
【００２６】
ここで、上記でリモコンＲＭが音像設定開始キー操作に対応した赤外光を発光してからもリモコンＲＭは所定の赤外光を発光し、距離画像ＣＭＯＳセンサ１４が有する画素の一部が結像レンズを介して赤外光を受光する。
【００２７】
ステップＳ２で、制御部１６は、上記のコード信号をリモコン受光部１５から受信すると距離画像ＣＭＯＳセンサ１４を駆動させ、距離画像ＣＭＯＳセンサ１４は、赤外光を受光する画素を含めた各画素において受光された光に基づき各画素において生成される各電圧信号を制御部１６に出力する。
【００２８】
そしてステップＳ３で、制御部１６は、距離画像ＣＭＯＳセンサ１４から受信した各電圧信号のうち電圧値が最大となる電圧信号を検索する。ここで、各画素は被写体の水平位置と対応付けられるので、ステップＳ４で、制御部１６は、上記ステップＳ３で検索された電圧信号に対応する画素に対応した水平位置データをＲＡＭ１８に記憶させる。ここで、上記で検索された電圧信号に対応する画素は、赤外光を受光する画素となるため、ＲＡＭに記憶される水平位置データはリモコンＲＭの水平位置を表していることになる。
【００２９】
次にステップＳ５で、制御部１６の制御により発光ＬＥＤ１２が赤外光を発光し、距離画像ＣＭＯＳセンサ１４は、発光ＬＥＤ１２から発光され被写体で反射し結像レンズ１３を介して距離画像ＣＭＯＳセンサ１４に到達するまでの赤外光の飛行時間を画素毎に計測し、被写体の奥行き位置を表す奥行き位置データを画素毎に制御部１６に出力する。
【００３０】
そしてステップＳ６で、制御部１６は、距離画像ＣＭＯＳセンサ１４から受信する奥行き位置データのうち、上記で検索された電圧信号に対応する画素に対応した奥行き位置データをＲＡＭ１８に記憶させる。ここでＲＡＭ１８に記憶される奥行き位置データは、リモコンＲＭの奥行き位置を表すことになる。
【００３１】
ここで、ＲＯＭ１７には、図４のような水平位置および奥行き位置を引数とする音像設定テーブルが記憶されている。テーブルの各領域には左右チャンネル音声信号の音量レベル設定データおよび左右チャンネル音声信号の位相設定データが記憶されており、これらのデータは実験に基づく。
【００３２】
ステップＳ７で、制御部１６は、上記ステップＳ４、Ｓ６でＲＡＭ１８に記憶された水平位置データおよび奥行き位置データと、ＲＯＭ１７に記憶された上記音像設定テーブルとに基づき、ＲＯＭ１７から音声信号の音量レベル設定データおよび音声信号の位相設定データを読み出し、読み出されたデータに基づき制御信号を音声信号処理部２０に出力する。
【００３３】
そしてステップＳ８で、音声信号処理部２０は、制御部１６からの制御信号に基づき、音声信号生成部１９からの右チャンネル音声信号および左チャンネル音声信号の音量レベル制御および位相制御を行う。これにより、右チャンネル用スピーカ２２Ｒおよび左チャンネル用スピーカ２２Ｌから出力される音声の音像が適正化される。
【００３４】
なお、上記ステップＳ７においてテーブルを用いる代わりに、制御部１６が、実験等により導出され水平位置および奥行き位置を引数とした音像設定式に、上記ステップＳ４、Ｓ６でＲＡＭ１８に記憶された水平位置データおよび奥行き位置データを適用して左右チャンネル音声信号の音量レベルおよび位相を算出し、算出結果に基づき制御信号を音声信号処理部２０に出力するようにしてもよい。テーブルを用いる方法は記憶容量が必要であるが処理負担が軽く、計算式を用いる方法は処理負担がかかるが記憶容量が低減できる。
【００３５】
このように本発明によれば、ユーザの位置が変わってもリモコンにおいて音像設定開始キーを押すだけで容易に音像調整が行え利便性が高いものとなる。
【００３６】
なお、図３において次のようにしてもよい。ステップＳ１の後、ステップＳ２〜Ｓ４は省略し、ステップＳ５に進む。ステップＳ５で、制御部１６の制御により発光ＬＥＤ１２が赤外光を発光し、距離画像ＣＭＯＳセンサ１４が奥行きデータを出力するとともに、被写体からの反射光を受光し画素毎の電圧信号を出力する。ステップＳ６で、制御部１６は、該電圧信号のうち電圧値が最大となる電圧信号を検索し、検索された電圧信号に対応する画素に対応した水平位置データおよび奥行きデータをＲＡＭ１８に記憶させる。被写体としてユーザしか存在しない場合、ユーザのみに赤外光は反射するため、本方法によりユーザの水平位置および奥行き位置がわかる。ステップＳ７以降は前述と同様である。これによっても、リモコンにおいて音像設定開始キーを押すだけで容易に音像調整が行え利便性が高いものとなる。
【００３７】
また、本発明は、ステレオのみならず、例えば５．１ＣＨのマルチチャンネルの音像調整にも適用可能である。
【図面の簡単な説明】
【００３８】
【図１】は、本発明に係るテレビのブロック図である。
【図２】は、本発明に係るテレビの概略上面図である。
【図３】は、本発明に係るテレビにおける音像設定動作手順を示すフローチャートである。
【図４】は、音像設定テーブルの一例を示す。
【符号の説明】
【００３９】
１２    発光LED
１３    結像レンズ
１４    距離画像CMOSセンサ
１５    リモコン受光部
１６    制御部
１７    ROM
１８    RAM
１９    音声信号生成部
２０    音声信号処理部
２１    アンプ
２２Ｒ    右チャンネル用スピーカ
２２Ｌ    左チャンネル用スピーカ
【図１】
2008066773.tif 000003
【図２】
2008066773.tif 000004
【図３】
2008066773.tif 000005
【図４】
2008066773.tif 000006